(57)【要約】【課題】印刷する前に用紙の種類を検出できる画像形成装置において、印刷の指令を受けてから印刷し終えるまでに要する時間を従来よりも短くする。【解決手段】画像形成装置１に、用紙がセットされる複数のカセット１１と、プリントユニット１０ｊと、用紙として、紙種が判別されている第一の用紙が複数のカセット１１のうちのいずれかのカセット１１であるカセット１１２にセットされており、種類が判別されていない第二の用紙が他のいずれかのカセット１１であるカセット１１１にセットされており、かつ、第一の用紙および第二の用紙の両方が、画像を印刷する条件を満たすことができるものである、という状態である場合に、複数のカセット１１のうちのプリントユニット１０ｊへ用紙を供給する供給元カセットを、カセット１１１よりも優先してカセット１１２に決定する、カセット決定手段１０３、を設ける。【選択図】図４
2019181703.tif 000002
【特許請求の範囲】
【請求項１】
用紙がセットされる複数のトレイと、
印刷手段と、
前記用紙として、種類が判別されている第一の用紙が前記複数のトレイのうちのいずれかのトレイである第一のトレイにセットされており、種類が判別されていない第二の用紙が他のいずれかのトレイである第二のトレイにセットされており、かつ、当該第一の用紙および当該第二の用紙の両方が、画像を印刷する条件を満たすことができるものである、という状態である場合に、前記複数のトレイのうちの前記印刷手段へ前記用紙を供給する供給元トレイを、当該第二のトレイよりも優先して当該第一のトレイに決定する、決定手段と、
を有することを特徴とする画像形成装置。
【請求項２】
前記決定手段が決定した前記供給元トレイから前記用紙を前記印刷手段へ搬送する搬送手段を有する、
請求項１に記載の画像形成装置。
【請求項３】
前記決定手段は、前記状態であり、さらに、前記画像が印刷される印刷先用紙の種類が指定されていない場合に、前記供給元トレイを前記第二のトレイよりも優先して前記第一のトレイに決定する、
請求項１または請求項２に記載の画像形成装置。
【請求項４】
前記複数のトレイにはそれぞれ、優先順位が予め与えられており、
前記決定手段は、前記状態であり、さらに、前記第一の用紙が残っている前記第一のトレイである残留トレイが複数ある場合に、前記供給元トレイを、当該複数の残留トレイのうちの前記優先順位が最も高い残留トレイに決定する、
請求項１ないし請求項３のいずれかに記載の画像形成装置。
【請求項５】
前記複数のトレイにはそれぞれ、優先順位が予め与えられており、
前記決定手段は、前記用紙として、前記第一の用紙が前記第一のトレイにセットされており、前記第二の用紙が前記第二のトレイにセットされており、かつ、当該第二の用紙だけが前記条件を満たすことができるものである、という第二の状態であり、さらに、前記画像が印刷される印刷先用紙の種類が指定され、かつ、当該第二の用紙が残っている当該第二のトレイである第二の残留トレイが複数ある場合に、前記供給元トレイを、当該複数の第二の残留トレイのうちの前記優先順位が最も高い第二の残留トレイに決定する、
請求項１または請求項２に記載の画像形成装置。
【請求項６】
前記第二の用紙が前記第二のトレイから前記印刷手段へ搬送されている間に当該第二の用紙の種類を判別するセンサを有し、
前記印刷手段は、前記センサによって判別された種類と前記指定された種類とが一致することが判明すると前記画像を印刷し、一致しないことが判明すると印刷しない、
請求項５に記載の画像形成装置。
【請求項７】
前記決定手段は、前記一致しないことが判明してから所定の時間が経過すると、前記供給元トレイを前記複数の第二の残留トレイのうちの前記優先順位が最も高い第二の残留トレイに決定する、
請求項６に記載の画像形成装置。
【請求項８】
前記決定手段は、前記所定の時間が経過するまでに、新たな画像を印刷する新たな指示が当該画像形成装置に対して行われると、前記第一の用紙が前記第一のトレイにセットされており、前記第二の用紙が前記第二のトレイにセットされており、かつ、当該第一の用紙および当該第二の用紙の両方が、当該新たな画像を印刷する新たな条件を満たすことができるものである、という第三の状態である場合に、当該新たな画像を印刷するために、当該供給元トレイを当該第二のトレイよりも優先して当該第一のトレイに決定し、少なくとも当該第二の用紙が当該第二のトレイにセットされており、かつ、当該第二の用紙だけが当該新たな条件を満たすことができるものである、という第四の状態であり、さらに、当該新たな画像が印刷される印刷先用紙の新たな種類が指定された場合に、当該新たな画像を印刷するために当該供給元トレイを当該第二のトレイに決定する、
請求項７に記載の画像形成装置。
【請求項９】
前記センサは、前記新たな画像を印刷するために、前記決定された第二のトレイから前記印刷手段へ搬送された前記第二の用紙の種類を判別し、
前記決定手段は、前記決定された第二のトレイの前記第二の用紙が前記条件を満たし、かつ、前記センサによって判別された、当該決定された第二のトレイの当該第二の用紙の種類と、前記指定された種類と、が一致すれば、前記画像を印刷するために、前記供給元トレイを当該決定された第二のトレイに決定する、
請求項８に記載の画像形成装置。
【請求項１０】
前記決定手段に、第一の対処処理、第二の対処処理、および第三の対処処理のうちのいずれを実行させるのかを指定するための画面を表示する表示手段、を有し、
前記決定手段は、前記センサによって判別された種類と前記指定された種類とが一致しないことが判明した場合は、改めて、前記画面において前記第一の対処処理が指定されたならば、前記供給元トレイを前記複数の第二の残留トレイのうちの前記優先順位が最も高い第二の残留トレイに決定し、前記第二の対処処理が指定されたならば、前記一致しないことが判明してから前記所定の時間が経過した後、当該供給元トレイを決定し、前記第三の対処処理が指定されたならば、前記画像を印刷することを中止するので当該供給元トレイを決定しない、
請求項７ないし請求項９のいずれかに記載の画像形成装置。
【請求項１１】
前記条件は前記印刷用紙のサイズである、
請求項１ないし請求項１０のいずれかに記載の画像形成装置。
【請求項１２】
用紙がセットされる複数のトレイの中から印刷部へ当該用紙を供給する供給元トレイを決定するトレイ決定方法であって、
前記用紙として、種類が判別されている第一の用紙が前記複数のトレイのうちのいずれかのトレイである第一のトレイにセットされており、種類が判別されていない第二の用紙が他のいずれかのトレイである第二のトレイにセットされており、かつ、当該第一の用紙および当該第二の用紙の両方が、画像を印刷する条件を満たすことができるものである、という状態である場合に、前記供給元トレイを、当該第二のトレイよりも優先して当該第一のトレイに決定する、
ことを特徴とするトレイ決定方法。
【請求項１３】
用紙がセットされる複数のトレイと印刷部とを有する画像形成装置を制御するためのコンピュータプログラムであって、
前記画像形成装置に、
前記用紙として、種類が判別されている第一の用紙が前記複数のトレイのうちのいずれかのトレイである第一のトレイにセットされており、種類が判別されていない第二の用紙が他のいずれかのトレイである第二のトレイにセットされており、かつ、当該第一の用紙および当該第二の用紙の両方が、画像を印刷する条件を満たすことができるものである、という状態である場合に、前記複数のトレイのうちの前記印刷部へ前記用紙を供給する供給元トレイを、当該第二のトレイよりも優先して当該第一のトレイに決定する処理を実行させる、
ことを特徴とするコンピュータプログラム。
【発明の詳細な説明】
【技術分野】
【０００１】
本発明は、印刷に用いるための用紙を供給するトレイを決定する技術に関する。
【背景技術】
【０００２】
従来、「複合機」または「ＭＦＰ（Multi Function Peripherals）」と呼ばれる画像形成装置が普及している。
【０００３】
画像形成装置は、様々な種類（例えば、普通紙、薄紙、および厚紙など）の用紙に画像を印刷することができる。一方で、ユーザは、より高品質な印刷物を得るために、印刷しようとする用紙の種類を事前に確認し、その種類を画像形成装置に指定するのが望ましい。すると、画像形成装置は、指定された用紙に適した条件で画像を印刷する。しかし、これらの作業は、ユーザにとって面倒である。
【０００４】
そこで、搬送されている用紙の種類を検出するためのセンサを画像形成装置に設けて、用紙に画像を印刷する処理を開始するまでに、そのセンサに搬送されている用紙の紙種を検出させることが、行われている。
【０００５】
特許文献１に記載の画像形成装置は，搬送経路上の画像形成部による用紙への画像形成位置よりも上流に設けられ，用紙の搬送方向に対する幅方向に並ぶ複数の検出位置にて，用紙の厚みの指標値である厚み指標値を検出して出力する厚み出力部を有する。そして，判定部は，用紙の幅方向における複数の検出位置についての厚み指標値が異なる値であるときに，その用紙が封筒であると判定する封筒判定を行う。
【先行技術文献】
【特許文献】
【０００６】
【特許文献１】特開２０１７−１９３３９０号公報
【発明の概要】
【発明が解決しようとする課題】
【０００７】
印刷する前に用紙の種類を検出するようにすると、種類を検出する分、印刷し終えるまでに要する時間が長くなる。その結果、時間当たりの印刷できる枚数が低下することがある。この問題は、特許文献１に記載された画像形成装置では解決できない。
【０００８】
本発明は、このような問題点に鑑み、印刷する前に用紙の種類を検出することができる画像形成装置において、印刷する指令を受けてから印刷し終えるまでに要する時間を従来よりも短くすることを、目的とする。
【課題を解決するための手段】
【０００９】
本発明の一形態に係る画像形成装置は、用紙がセットされる複数のトレイと、印刷手段と、前記用紙として、種類が判別されている第一の用紙が前記複数のトレイのうちのいずれかのトレイである第一のトレイにセットされており、種類が判別されていない第二の用紙が他のいずれかのトレイである第二のトレイにセットされており、かつ、当該第一の用紙および当該第二の用紙の両方が、画像を印刷する条件を満たすことができるものである、という状態である場合に、前記複数のトレイのうちの前記印刷手段へ前記用紙を供給する供給元トレイを、当該第二のトレイよりも優先して当該第一のトレイに決定する、決定手段と、を有することを特徴とする。
【００１０】
または、前記決定手段が決定した前記供給元トレイから前記用紙を前記印刷手段へ搬送する搬送手段を有する。
【００１１】
好ましくは、前記決定手段は、前記状態であり、さらに、前記画像が印刷される印刷先用紙の種類が指定されていない場合に、前記供給元トレイを前記第二のトレイよりも優先して前記第一のトレイに決定する。
【００１２】
または、前記複数のトレイにはそれぞれ、優先順位が予め与えられており、前記決定手段は、前記状態であり、さらに、前記第一の用紙が残っている前記第一のトレイである残留トレイが複数ある場合に、前記供給元トレイを、当該複数の残留トレイのうちの前記優先順位が最も高い残留トレイに決定する。
【００１３】
または、前記複数のトレイにはそれぞれ、優先順位が予め与えられており、前記決定手段は、前記用紙として、前記第一の用紙が前記第一のトレイにセットされており、前記第二の用紙が前記第二のトレイにセットされており、かつ、当該第二の用紙だけが前記条件を満たすことができるものである、という第二の状態であり、さらに、前記画像が印刷される印刷先用紙の種類が指定され、かつ、当該第二の用紙が残っている当該第二のトレイである第二の残留トレイが複数ある場合に、前記供給元トレイを、当該複数の第二の残留トレイのうちの前記優先順位が最も高い第二の残留トレイに決定する。
【発明の効果】
【００１４】
本発明によると、印刷する前に用紙の種類を検出することができる画像形成装置において、印刷する指令を受けてから印刷し終えるまでに要する時間を従来よりも短くすることができる。
【図面の簡単な説明】
【００１５】
【図１】画像形成装置の外観の例を示す図である。
【図２】画像形成装置のハードウェア構成の例を示す図である。
【図３】給紙ユニットのハードウェア構成の例を示す図である。
【図４】画像形成装置の機能的構成の例を示す図である。
【図５】用紙情報の例を示す図である。
【図６】第一の決定処理の流れの例を示すフローチャートである。
【図７】第二の決定処理の流れの例を示すフローチャートである。
【図８】画像形成装置の全体的な処理の流れの例を示す図である。
【図９】紙切れが発生したときの用紙情報の例を示す図である。
【図１０】自動用紙種類検知処理における用紙情報の例を示す図である。
【図１１】管理者用画面の例を示す図である。
【図１２】ジョブ設定画面および詳細設定画面の例を示す図である。
【図１３】管理者用画面の例を示す図である。
【発明を実施するための形態】
【００１６】
図１は画像形成装置１の外観の例を示す図である。図２は、画像形成装置１のハードウェア構成の例を示す図である。図３は、給紙ユニット１０ｋのハードウェア構成の例を示す図である。図４は、画像形成装置１の機能的構成の例を示す図である。
【００１７】
図１に示す画像形成装置１は、コピー、ＰＣプリント、クラウド印刷、ファックス、スキャナ、およびボックスなどの機能を集約した装置である。一般に、「複合機」または「ＭＦＰ（Multi Function Peripherals）」などと呼ばれることがある。
【００１８】
ＰＣプリント機能は、画像形成装置１と同じＬＡＮ（Local Area Network）内にある端末装置から受信した画像データに基づいて、画像を用紙に印刷する機能である。「ネットワークプリンティング」または「ネットワークプリント」などと呼ばれることもある。
【００１９】
クラウド印刷機能は、インターネット上のサーバを経由して外部の端末装置から画像データを受信し画像を用紙に印刷する機能である。
【００２０】
ボックス機能は、ユーザごとに「ボックス」または「パーソナルボックス」などと呼ばれる記憶領域を与えておき、各ユーザが自分の記憶領域によって画像データなどを保存し管理するための機能である。グループごとにボックスを設けておき、グループのメンバで共用することもできる。ボックスは、パーソナルコンピュータにおける「フォルダ」または「ディレクトリ」に相当する。
【００２１】
画像形成装置１は、図１または図２に示すように、ＣＰＵ（Central Processing Unit）１０ａ、ＲＡＭ（Random Access Memory）１０ｂ、ＲＯＭ（Read Only Memory）１０ｃ、補助記憶装置１０ｄ、タッチパネルディスプレイ１０ｅ、操作キーパネル１０ｆ、ＮＩＣ（Network Interface Card）１０ｇ、スキャンユニット１０ｈ、フィニッシャ１０ｉ、プリントユニット１０ｊ、および給紙ユニット１０ｋなどによって構成される。
【００２２】
ＣＰＵ１０ａは、画像形成装置１のメインＣＰＵである。ＲＡＭ１０ｂは、画像形成装置１のメインメモリである。
【００２３】
タッチパネルディスプレイ１０ｅは、ユーザに対するメッセージを示す画面、ユーザがコマンドまたは情報を入力するための画面、およびＣＰＵ１０ａが実行した処理の結果を示す画面などを表示する。さらに、タッチされた位置を示す信号をＣＰＵ１０ａへ送る。
【００２４】
操作キーパネル１０ｆは、いわゆるハードウェアキーボードであって、テンキー、スタートキー、ストップキー、およびファンクションキーなどによって構成される。
【００２５】
ＮＩＣ１０ｇは、ＴＣＰ／ＩＰ（Transmission Control Protocol/Internet Protocol）などのプロトコルで他の装置との通信を行う。
【００２６】
スキャンユニット１０ｈは、ＡＤＦ（Auto Document Feeder）またはプラテンガラスの上にセットされた原稿（シート）に記されている画像を読み取って画像データを生成する。また、スキャンユニット１０ｈには、原稿のサイズを検出するための原稿サイズセンサ１１ｈが設けられている。
【００２７】
フィニッシャ１０ｉは、プリントユニット１０ｊによって得られた印刷物に対して、必要に応じて後処理を施す。後処理は、ステープルで綴じる処理、パンチ穴を開ける処理、または折り曲げる処理などである。
【００２８】
プリントユニット１０ｊは、スキャンユニット１０ｈによって読み取られた画像のほか、ＮＩＣ１０ｇによって外部の装置から受信した画像データに示される画像を用紙に印刷する。
【００２９】
給紙ユニット１０ｋは、プリントユニット１０ｊへ用紙を供給するためのユニットである。給紙ユニット１０ｋは、図３に示すように、カセット１１１、１１２、１１３、１１４、用紙サイズセンサ１２１、１２２、１２３、１２４、残量センサ１３１、１３２、１３３、１３４、ピックアップローラ１４１、１４２、１４３、１４４、１４５、１４６、１４７、１４８、搬送路１５、搬送ローラ１６１、１６２、１６３、１６４、１６５、１６６、および検紙センサ１７などによって構成される。
【００３０】
以下、カセット１１１ないし１１４を「カセット１１」と総称する。用紙サイズセンサ１２１ないし１２４を「用紙サイズセンサ１２」と総称する。残量センサ１３１ないし１３４を「残量センサ１３」と総称する。ピックアップローラ１４１ないし１４８を「ピックアップローラ１４」と総称する。搬送ローラ１６１ないし１６６を「搬送ローラ１６」と総称する。
【００３１】
なお、「カセット」は、一般に「トレイ」または「給紙トレイ」と呼ばれることがある。
【００３２】
カセット１１１には、用紙がセットされる。また、用紙サイズセンサ１２１、残量センサ１３１、ピックアップローラ１４１、１４２が設けられる。用紙サイズセンサ１２１は、セットされた用紙のサイズを検出する。残量センサ１３１は、セットされた用紙の残量を検出する。ピックアップローラ１４１および１４２は、セットされた用紙を１枚ずつピックアップして搬送路１５へ搬出する。
【００３３】
カセット１１１と同様に、カセット１１２および１１３のそれぞれにも、用紙がセットされる。また、同様の手段として、カセット１１２には、用紙サイズセンサ１２２、残量センサ１３２、およびピックアップローラ１４３、１４４が設けられ、カセット１１３には、用紙サイズセンサ１２３、残量センサ１３３、およびピックアップローラ１４５、１４６が設けられる。
【００３４】
なお、ユーザに容易に識別させるために、カセット１１１、１１２、および１１３にはそれぞれ、「カセット０１」、「カセット０２」、および「カセット０３」という名称が与えられている。
【００３５】
カセット１１４には、用紙が手差しによってセットされる。カセット１１４は、一般に「手差しトレイ」と呼ばれることがある。また、カセット１１４として、図１または図３に示すように、蓋がないタイプ、つまり、オープンであるタイプの手差しトレイが用いられることがある。また、カセット１１４は、画像形成装置１に着脱でき、または、用紙がセットされていない状態で、画像形成装置１に向かって折りたたみできるようになってもよい。
【００３６】
カセット１１４にセットされる用紙は、カセット１１１ないし１１３に収容することができないサイズの用紙、または、カラー用紙または裏紙などのように比較的に使用頻度の少ない用紙である。
【００３７】
カセット１１４には、セットされた用紙の位置決めのための可動式の搬送ガイド、セットされた用紙のサイズを検出する用紙サイズセンサ１２４、およびセットされている用紙の残量を検出する残量センサ１３４が設けられている。ピックアップローラ１４７および１４８は、カセット１１４から用紙を１枚ずつピックアップして搬送路１５へ搬出する。なお、カセット１１４には、「カセット０４」という名称が与えられている。
【００３８】
搬送路１５および搬送ローラ１６は、カセット１１から搬出された用紙をプリントユニット１０ｊへ搬送する。
【００３９】
検紙センサ１７は、透過型の超音波センサである。搬送路１５に設けられ、例えば、用紙の表側から超音波を当てて用紙の裏側で受信することで、搬送される用紙の種類（例えば、普通紙または厚紙など）を、検出する。以下、用紙の種類を「紙種」と記載することがある。
【００４０】
なお、検紙センサ１７が設けられる位置として、プリントユニット１０ｊの中の二次転写ローラより上流の位置であれば、搬送路１５以外の位置であってもよい。
【００４１】
ＲＯＭ１０ｃまたは補助記憶装置１０ｄには、上述のコピーなどの機能を実現するためのアプリケーションが記憶されている。さらに、カセット決定プログラム１０Ｐ（図４参照）が記憶されている。
【００４２】
カセット決定プログラム１０Ｐは、あるジョブが受け付けられた際に、そのジョブを実行するために用紙を供給するカセット（以下、「供給元カセット」と記載することがある。）を決定するためのプログラムである。カセット決定プログラム１０Ｐの詳細については、後に説明する。
【００４３】
これらのプログラムは、ＲＡＭ１０ｂにロードされ、ＣＰＵ１０ａによって実行される。補助記憶装置１０ｄとして、ハードディスクまたはＳＳＤ（Solid State Drive）などが用いられる。
【００４４】
カセット決定プログラム１０Ｐによると、図４に示す用紙情報記憶部１０１〜印刷設定部１０６が画像形成装置１に実現される。
【００４５】
図５は、用紙情報６Ａの例を示す図である。図６は、第一の決定処理の流れの例を示すフローチャートである。図７は、第二の決定処理の流れの例を示すフローチャートである。
以下、用紙情報記憶部１０１〜印刷設定部１０６の動作を、ユーザが最初にＡ３の原稿をコピーし次にＡ４の原稿をコピーする場合を例に、図４〜図７を参照しながら説明する。
【００４６】
用紙情報記憶部１０１には、図５に示すような、セットされた用紙のサイズおよび紙種を示す用紙情報６Ａが、カセット１１１ないし１１４ごとに記憶されている。
【００４７】
以下、カセット１１１、カセット１１２、カセット１１３、およびカセット１１４それぞれの用紙情報を、「用紙情報６Ａ１」、「用紙情報６Ａ２」、「用紙情報６Ａ３」および「用紙情報６Ａ４」と記載する。なお、ユーザがＡ３の原稿をコピーしようとする直前、用紙情報６Ａ１〜６Ａ４は、図５（Ａ）に示す状態であるものとする。
【００４８】
図５（Ａ）の例においては、用紙情報６Ａ２は、カセット１１２にセットされている用紙のサイズが「Ａ４」であり紙種が「普通紙」であることを示している。
【００４９】
しかし、用紙がセットされていないことがある。この場合は、用紙情報６Ａ３のように、サイズおよび紙種としてそれぞれ「紙切れ」および「未登録」が示される。
【００５０】
また、用紙がセットされているが、紙種が未だ判別されていない場合は、用紙情報６Ａ１のように、紙種として「未登録」が示される。
【００５１】
用紙情報記憶部１０１には、さらに、順位情報６Ｂが記憶されている。順位情報６Ｂは、カセット１１についての順位であって、供給元カセットとして相応しいか否かを決定するための処理を行う順位を示す。本例では、カセット１１１、１１２、１１３、１１４の順番に高い順位が設定されている。
【００５２】
本例では、ユーザは、最初に、Ａ３の原稿の画像をＡ３の普通紙である用紙にコピーしたいと考える。しかし、いずれのカセット１１にも、Ａ３の用紙はセットされていない。（図５（Ａ）参照）。そこで、ユーザは、紙切れのカセット１１であるカセット１１３にＡ３の普通紙をセットする。
【００５３】
すると、残量センサ１３３は、カセット１１３の用紙の残量を検出する。用紙サイズセンサ１２３は、カセット１１３にセットされた用紙のサイズがＡ３であることを検出する。
【００５４】
用紙状態取得部１０２は、用紙サイズセンサ１２が検出した結果を受け取り、その用紙サイズセンサ１２のカセット１１の用紙情報６Ａの「サイズ」を、その結果に基づいて更新する。
【００５５】
本例では、用紙状態取得部１０２は、用紙サイズセンサ１２３が検出した結果を受け取る。図５（Ｂ）に示すように、用紙情報６Ａ３の「サイズ」を「紙切れ」から「Ａ３」に更新する。
【００５６】
続けて、ユーザは、このＡ３の原稿をスキャンユニット１０ｈのＡＤＦにセットする。すると、原稿サイズセンサ１１ｈは、ＡＤＦにセットされた原稿のサイズを検出する。本例では、原稿のサイズがＡ３であることを検出する。
【００５７】
続けて、ユーザは、画像形成装置１に対してコピーのジョブの実行を指示する。すると、以下の処理が行われる。
【００５８】
カセット決定部１０３は、原稿サイズセンサ１１ｈが検出した結果を受け取る。受け取った結果に基づいて、供給元カセットを図６に示すような手順で決定する。以下、この手順による処理を「第一の決定処理」と記載することがある。
【００５９】
カセット決定部１０３は、順位情報６Ｂに示される順位が１位である用紙情報６Ａに注目する（図６の＃７０１）。注目した用紙情報６Ａに示されるサイズと原稿サイズセンサ１１ｈが検出したサイズとを比較する（＃７０２）。
【００６０】
両者が一致し（＃７０３でＹｅｓ）、かつ、この用紙情報６Ａに示される紙種が「未登録」でなければ（＃７０４でＮｏ）、カセット決定部１０３は、供給元カセットを、この用紙情報６Ａに対応するカセット１１に決定する（＃７０５）。そして、第一の決定処理を終了する。
【００６１】
一方、両者が一致せず（＃７０３でＮｏ）、または、この用紙情報６Ａに示される紙種が「未登録」であれば（＃７０４でＹｅｓ）、カセット決定部１０３は、未注目の用紙情報６Ａが残っていれば（＃７０６でＹｅｓ）、次に順位が高い用紙情報６Ａに新たに注目し（＃７０７）、ステップ＃７０２に戻って上述の処理を実行する。
【００６２】
このように、カセット決定部１０３は、ＡＤＦにセットされた原稿のサイズと同じサイズでありかつ紙種が既に検出されている用紙がセットされたカセット１１を、順位が高いものから順に、見つかるまで検索する。そして、このようなカセット１１が１つ見つかったら検索を終了し、供給元カセットを、見つかったカセット１１に決定する。
【００６３】
しかし、このようなカセット１１が１つも見つからない場合がある。その場合は（＃７０６でＮｏ）、カセット決定部１０３は、原稿サイズセンサ１１ｈが検出したサイズと同じサイズを示す用紙情報６Ａがあれば（＃７０８でＹｅｓ）、供給元カセットを、このような用紙情報６Ａそれぞれに対応するカセット１１のうち最も順位の高いカセット１１に決定する（＃７０９）。このような用紙情報６Ａがなければ（＃７０８でＮｏ）、供給元カセットを決定せず、原稿のサイズに一致するサイズの用紙が無い旨をタッチパネルディスプレイ１０ｅに表示させて、コピーを中止する（＃７１０）。これにより、第一の決定処理が終了する。
【００６４】
本例では、カセット決定部１０３は、原稿サイズセンサ１１ｈが検出した結果を受け取る。順位情報６Ｂにしたがって、「サイズ」が「Ａ３」である用紙情報６Ａを検索する。用紙情報６Ａ３が見つかるが、用紙情報６Ａ３の「紙種」は「未登録」であるので、「サイズ」が「Ａ３」である用紙情報６Ａを継続して検索する。用紙情報６Ａを検索し終えた結果、「サイズ」が「Ａ３」である用紙情報６Ａ（用紙情報６Ａ３）が１つだけ見つかる。そこで、カセット決定部１０３は、供給元カセットを、用紙情報６Ａ３のカセット１１つまりカセット１１３に決定する。
【００６５】
ローラ動作部１０４は、カセット決定部１０３によって供給元カセットが決定されると、用紙が搬送路１５を経て供給元カセットからプリントユニット１０ｊへ搬送されるように、ピックアップローラ１４および搬送ローラ１６を動作させる。
【００６６】
このとき、ローラ動作部１０４は、供給元カセットに決定されたカセット１１の用紙情報６Ａ（以下、「供給元カセットの用紙情報６Ａ」と記載することがある。）の「紙種」が「未登録」である場合、通常の速度よりも遅い速度で用紙が搬送されるように、ピックアップローラ１４および搬送ローラ１６を動作させる。これは、搬送された用紙の紙種をより確実に検紙センサ１７が検出できるようにするためである。
【００６７】
なお、複数の用紙が１のカセット１１から搬出される場合（例えば、複数枚のコピーが実行された場合）は、ローラ動作部１０４は、１枚目の用紙が検紙センサ１７を通過するときだけ遅い速度にすればよい。
【００６８】
本例では、用紙情報６Ａ３の「紙種」は「未登録」であるため、ローラ動作部１０４は、通常よりも遅い速度で１枚目の用紙が搬送されるように、ピックアップローラ１４５、１４６および搬送ローラ１６を動作させる。
【００６９】
紙種取得部１０５は、ローラ動作部１０４によってピックアップローラ１４および搬送ローラ１６が動作され始めると、供給元カセットの用紙情報６Ａの「紙種」が「未登録」である場合、搬送される用紙の紙種を検出する指令を検紙センサ１７へ与える。
【００７０】
検紙センサ１７は、紙種取得部１０５から指令を与えられると、用紙が検紙センサ１７自身を通過するときに、その用紙の紙種を検出する。検出した結果を紙種取得部１０５へ通知する。
【００７１】
紙種取得部１０５は、検紙センサ１７が検出した結果を受け取り、供給元カセットの用紙情報６Ａの「紙種」を、その結果に基づいて更新する。
【００７２】
なお、複数の用紙が１のカセット１１から搬出される場合は、紙種取得部１０５は、１枚目の用紙が通過したときのみ紙種を検出するように指令を与えればよい。
【００７３】
本例では、用紙情報６Ａ３の「紙種」が「未登録」であるため、紙種取得部１０５は、搬送される用紙の紙種を検出する指令を検紙センサ１７へ与える。検紙センサ１７は、用紙の紙種が普通紙であることを検出する。紙種取得部１０５は、検出されたその結果を受け取る。そして、図５（Ｃ）に示すように、用紙情報６Ａ３の「紙種」を「未登録」から「普通紙」に更新する。
【００７４】
印刷設定部１０６は、供給元カセットの用紙情報６Ａの「紙種」に応じた条件で印刷するための設定を、プリントユニット１０ｊに対して行う。
【００７５】
本例では、印刷設定部１０６は、供給元カセットの用紙情報６Ａ３の「紙種」である普通紙に応じた条件で印刷するための設定を、プリントユニット１０ｊに対して行う。例えば、定着ローラの温度または速度を、普通紙に応じた温度または速度に調整する。
【００７６】
その後、プリントユニット１０ｊによって、設定された条件にしたがって、用紙に画像が印刷される。
【００７７】
次に、ユーザは、Ａ４の原稿の画像をＡ４の用紙にコピーすることを試みる。ユーザは、Ａ４の原稿をスキャンユニット１０ｈのＡＤＦにセットする。すると、原稿サイズセンサ１１ｈは、ＡＤＦにセットされた原稿のサイズがＡ４であることを検出する。
【００７８】
続けて、ユーザは、画像形成装置１に対してコピーのジョブの実行を指示する。すると、以下の処理が行われる。
【００７９】
カセット決定部１０３は、原稿サイズセンサ１１ｈが検出した結果を受け取り、受け取った結果および順位情報６Ｂに基づいて、第一の決定処理（図６参照）に示した手順で供給元カセットを決定する。
【００８０】
本例では、供給元カセットが、サイズが「Ａ４」であるかつ紙種が「未登録」でない用紙情報６Ａのうち順位が最も高い用紙情報６Ａ（用紙情報６Ａ２）に対応するカセット１１（カセット１１２）に決定される（図５（Ｃ）参照）。
【００８１】
ローラ動作部１０４は、用紙が搬送路１５を経てカセット１１２からプリントユニット１０ｊへ搬送されるように、ピックアップローラ１４３、１４４および搬送ローラ１６を動作させる。用紙情報６Ａ２の「紙種」は「未登録」でないため、上述のように、通常の速度で用紙が搬送されるように動作させる。
【００８２】
紙種取得部１０５は、用紙情報６Ａ２の「紙種」は「未登録」でないため、搬送される用紙の紙種を検出する指令を検紙センサ１７へ与えない。また、用紙情報６Ａ２を更新しない。
【００８３】
印刷設定部１０６は、用紙情報６Ａ２の「紙種」である普通紙に応じた条件で印刷するための設定を、プリントユニット１０ｊに対して行う。そして、プリントユニット１０ｊによって、用紙に画像が印刷される。
【００８４】
なお、ユーザは、コピーのジョブの実行を指示するときに、使用する用紙の紙種を指定することができる。この場合、カセット決定部１０３は、供給元カセットを図７に示すような手順で決定する。以下、ユーザが指定した紙種を「指定紙種」と記載し、図７に示す手順による処理を「第二の決定処理」と記載することがある。
【００８５】
カセット決定部１０３は、順位情報６Ｂに示される順位が１位である用紙情報６Ａに注目する（図７の＃７２１）。注目した用紙情報６Ａに示されるサイズと原稿サイズセンサ１１ｈが検出したサイズとを比較する（＃７０２）。
【００８６】
両者が一致し（＃７２３でＹｅｓ）、かつ、この用紙情報６Ａに示される紙種と指定紙種とが一致すれば（＃７２４でＹｅｓ）、カセット決定部１０３は、供給元カセットを、この用紙情報６Ａに対応するカセット１１に決定する（＃７２５）。そして、第二の決定処理を終了する。
【００８７】
一方、両者が一致せず（＃７２３でＮｏ）、または、この用紙情報６Ａに示される紙種と指定紙種とが一致しなければ（＃７２４でＮｏ）、カセット決定部１０３は、未注目の用紙情報６Ａが残っていれば（＃７２６でＹｅｓ）、次に順位が高い用紙情報６Ａに新たに注目し（＃７２７）、ステップ＃７２２に戻って上述の処理を実行する。しかし、このような用紙情報６Ａがなければ（＃７２６でＮｏ）、供給元カセットを決定せず、原稿のサイズおよび指定紙種に一致する用紙が無い旨をタッチパネルディスプレイ１０ｅに表示させて、コピーを中止する（＃７２８）。これにより、第二の決定処理が終了する。
【００８８】
図８は、画像形成装置１の全体的な処理の流れの例を示す図である。次に、画像形成装置１における全体的な処理の流れを、図６〜図８のフローチャートを参照しながら説明する。
【００８９】
画像形成装置１は、カセット決定プログラム１０Ｐに基づいて、図８に示す手順で処理を実行する。
【００９０】
画像形成装置１は、カセット１１のいずれかに用紙がセットされると（図８の＃６０１でＹｅｓ）、セットされた用紙の残量およびサイズを検出し、用紙情報６Ａを更新する（＃６０２）。ユーザからコピーのジョブの実行が指示されると（＃６０３でＹｅｓ）、原稿のサイズを取得し、また、ユーザが紙種を指定していた場合は指定紙種を取得する（＃６０４）。
【００９１】
指定紙種を取得しなかった場合（＃６０５でＮｏ）、画像形成装置１は第一の決定処理を行う（＃６０６）。第一の決定処理の手順は、前に図６で説明したとおりである。
【００９２】
一方、指定紙種を取得した場合（＃６０５でＹｅｓ）、画像形成装置１は第二の決定処理を行う（＃６０７）。第二の決定処理の手順は、前に図７で説明したとおりである。
【００９３】
画像形成装置１は、第一の決定処理または第二の決定処理で供給カセットを決定していた場合は（＃６０８でＹｅｓ）、供給元カセットから用紙を搬出するとともに（＃６０９）、その用紙の紙種に応じた条件を設定する（＃６１０）。そして、原稿から画像を読み取って、その用紙に画像を印刷する（＃６１１）。つまり、その画像をその用紙にコピーする。
【００９４】
画像形成装置１は、電源が切断されるまで（＃６１１２でＮｏ）、上述のステップ＃６０１ないし＃６１１の処理を適宜、実行する。
【００９５】
本実施形態によると、印刷する前に用紙の種類を検出することができる画像形成装置１において、印刷する指令を受けてから印刷し終えるまでに要する時間を従来よりも短くすることができる。
【００９６】
図９は、紙切れが発生したときの用紙情報６Ａの例を示す図である。図１０は、自動用紙種類検知処理における用紙情報６Ａの例を示す図である。図１１は、管理者用画面５Ａの例を示す図である。図１２は、ジョブ設定画面５１Ｂおよび詳細設定画面５２Ｂの例を示す図である。図１３は、管理者用画面５Ｃの例を示す図である。
【００９７】
本実施形態において、ユーザによっていずれかのカセット１１が画像形成装置１の本体から取り外されると、用紙状態取得部１０２は、その取り外されたカセット１１の用紙情報６Ａの設定をクリア（つまり「サイズ」を「紙切れ」に、「紙種」を「未登録」に更新）してもよい。そして、画像形成装置１の本体にそのカセット１１が収納されると、そのカセット１１の用紙サイズセンサ１２は、そのカセット１１にセットされた用紙のサイズを検出すればよい。用紙状態取得部１０２は、その用紙サイズセンサ１２が検出した結果を受け取り、その用紙情報６Ａの「サイズ」をその結果に基づいて更新すればよい。
【００９８】
本実施形態では、原稿の印刷物を、コピーのジョブを実行することによって生成する場合を例に説明したが、ＰＣプリントまたはクラウド印刷のジョブを実行することによって生成する場合にも、本発明を適用することができる。
【００９９】
〔紙切れの発生〕
本実施形態において、印刷している最中に紙切れが発生した場合、画像形成装置１は以下のような処理を行ってもよい。
【０１００】
前提として、ユーザは、Ａ４の原稿の画像を複数枚のＡ４の用紙に、紙種を指定することなくコピーすることを試みたとする。また、用紙情報記憶部１０１には、図５（Ｃ）に示すような用紙情報６Ａが記憶されているとする。また、現在の供給元カセットはカセット１１２であるとする。
【０１０１】
印刷している最中に、供給元カセットに紙切れが発生すると、残量センサ１３２は、カセット１１２の用紙の残量を検出できなくなる。
【０１０２】
用紙状態取得部１０２は、供給元カセットの残量センサ１３が用紙の残量を検出できなくなると、供給元カセットの用紙情報６Ａの「サイズ」を「紙切れ」に更新し、「紙種」を「未登録」に更新する。
【０１０３】
本例では、用紙状態取得部１０２は、図９に示すように、用紙情報６Ａ２の「サイズ」を「紙切れ」に、「紙種」を「未登録」に、それぞれ更新する。
【０１０４】
紙切れが発生することによって用紙情報６Ａが更新されると、カセット決定部１０３は、供給元カセットを、このコピーのジョブの実行が指示されたときに原稿サイズセンサ１１ｈが検出した結果および順位情報６Ｂに基づいて、図６に示した手順によって決定し直す。
【０１０５】
本例では、カセット決定部１０３は、「サイズ」が「Ａ４」である用紙情報６Ａを検索する。用紙情報６Ａ１が最初に見つかるが、用紙情報６Ａ１の「紙種」は「未登録」であるので、「サイズ」が「Ａ４」である用紙情報６Ａを継続して検索する。次に、用紙情報６Ａ４が見つかる。用紙情報６Ａ４の「紙種」は「未登録」でなく「厚紙」であるため、供給元カセットを用紙情報６Ａ４のカセット１１（カセット１１４）に決定する。
【０１０６】
ローラ動作部１０４は、本実施形態と同様に、ピックアップローラ１４７、１４８および搬送ローラ１６を通常の速度で動作させる。
【０１０７】
印刷設定部１０６は、用紙情報６Ａ４の「紙種」である厚紙に応じた条件で印刷するための設定を、プリントユニット１０ｊに対して行う。そして、プリントユニット１０ｊによって、用紙に画像が印刷される。
【０１０８】
〔自動用紙種類検知処理〕
本実施形態では、指定紙種が取得された場合に（つまり使用する用紙の紙種をユーザが指定した場合に）、サイズが一致するすべての用紙情報６Ａの「紙種」と指定紙種とが一致しなければ、コピーが中止された。しかし、これらすべての用紙情報６Ａのいずれかの「紙種」が「未登録」である場合は、サイズが一致するすべての用紙情報６Ａの「紙種」と指定紙種とが一致しないことが判明した直後（つまり図７のステップ＃７２６でＮｏ）に、次に説明する自動用紙種類検知処理を行ってもよい。
【０１０９】
前提として、ユーザは、紙種を普通紙に指定して、Ａ４の原稿の画像をＡ４の普通紙にコピーすることを試みたとする（以下、このコピーのジョブを「実行中ジョブ」と記載することがある）。また、用紙情報記憶部１０１には、図１０（Ａ）に示すような用紙情報６Ａが記憶されているとする。
【０１１０】
カセット決定部１０３は、原稿サイズセンサ１１ｈが検出した結果（Ａ４）に一致しかつ紙種が「未登録」である用紙情報６Ａ（用紙情報６Ａ１〜６Ａ３）のうちの、順位情報６Ｂに示される順位が最も高い用紙情報６Ａ（用紙情報６Ａ１）を特定する。供給元カセットを、その用紙情報６Ａのカセット１１（カセット１１１）に決定する。
【０１１１】
ローラ動作部１０４は、本実施形態と同様に、供給元カセットのピックアップローラ１４（ピックアップローラ１４１、１４２）および搬送ローラ１６を通常よりも遅い速度で動作させる。
【０１１２】
紙種取得部１０５は、本実施形態と同様に、搬送される用紙の紙種を検出する指令を検紙センサ１７へ与える。検紙センサ１７が検出した結果を受け取ると、供給元カセットの用紙情報６Ａ（用紙情報６Ａ１）の「紙種」を、その結果に基づいて更新する。
【０１１３】
指定紙種が取得された場合に用紙情報６Ａが更新されると、印刷設定部１０６は、更新後の供給元カセットの用紙情報６Ａ（用紙情報６Ａ１）の「紙種」（以下、「更新後紙種」と記載することがある。）と指定紙種とが一致すれば、更新後紙種に応じた条件で印刷するための設定を、プリントユニット１０ｊに対して行う。その後、プリントユニット１０ｊによって用紙に画像が印刷される。
【０１１４】
更新後紙種と指定紙種とが一致しなければ、印刷設定部１０６は、すでに搬出された用紙に画像を印刷しないための設定を、プリントユニット１０ｊに対して行う。これにより、すでに供給元カセット（カセット１１１）から搬出された用紙は印刷されずに白紙のまま排出される。さらに、指定紙種に一致する紙種の用紙が無い旨をタッチパネルディスプレイ１０ｅに表示させて、コピーのジョブを中止する。
【０１１５】
本例では、カセット１１１にセットされた用紙が普通紙であれば、用紙に画像が印刷される。そうでなければ、用紙は白紙のまま排出され、実行中ジョブは中止される。
【０１１６】
または、更新後紙種と指定紙種とが一致しなければ、画像形成装置１は、画像を印刷しないための設定を行った後に、原稿サイズセンサ１１ｈが検出した結果、更新後紙種、および順位情報６Ｂにしたがって、供給元カセットを決定し直してもよい。この場合、以下の処理が継続して行われる。
【０１１７】
前提として、更新後紙種（用紙情報６Ａ１の「紙種」）と指定紙種とが一致しないことが判明した直後の用紙情報記憶部１０１には、図１０（Ｂ）のような用紙情報６Ａが記録されているとする。
【０１１８】
カセット決定部１０３は、原稿サイズセンサ１１ｈが検出した結果（Ａ４）にサイズが一致しかつ紙種が「未登録」である他の用紙情報６Ａ（用紙情報６Ａ２、６Ａ３）のうちの、供給元カセットの用紙情報６Ａ（用紙情報６Ａ１）の次に順位が高い用紙情報６Ａ（用紙情報６Ａ２）を、新たに特定する。供給元カセットを、その用紙情報６Ａのカセット１１（カセット１１２）に決定する。
【０１１９】
なお、他の用紙情報６Ａのうちから用紙情報６Ａを新たに特定できなければ（つまり供給元カセットの用紙情報６Ａよりも低い順位の他の用紙情報６Ａがなければ）、カセット決定部１０３は、指定紙種に一致する紙種の用紙が無い旨をタッチパネルディスプレイ１０ｅに表示させて、コピーのジョブ（本例では実行中ジョブ）を中止する。
【０１２０】
ローラ動作部１０４および紙種取得部１０５は、本実施形態と同様に処理を行う。印刷設定部１０６は、指定紙種が取得された場合に用紙情報６Ａが更新されているので、上述と同様に、更新後紙種（つまり更新後の用紙情報６Ａ２の「紙種」）と指定紙種とが一致すれば、更新後紙種に応じた条件で印刷するための設定を、プリントユニット１０ｊに対して行う。その後、プリントユニット１０ｊによって用紙に画像が印刷される。
【０１２１】
更新後紙種と指定紙種とが一致しなければ、印刷設定部１０６は、すでに搬出された用紙に画像を印刷しないための設定を、プリントユニット１０ｊに対して行う。カセット決定部１０３は、用紙情報６Ａを新たに特定し直す（つまり供給元カセットを決定し直す）。
【０１２２】
または、更新後紙種と指定紙種とが一致しなければ、画像形成装置１は、画像を印刷しないための設定を行った後に、コピーを一時停止してもよい。そして、一時停止されてから所定の時間（例えば５分）が経過すると、コピーを中止してもよい。または、図８のステップ＃６０７に戻って供給元カセットを決定する処理をやり直してもよい。
【０１２３】
また、画像形成装置１は、コピーのジョブを一時停止している間に、他のコピー（以下、「後続ジョブ」と記載することがある。）の実行をユーザから指示されることがある。このとき、一時停止されているコピー（以下、「先行ジョブ」と記載することがある。）よりも優先して、後続ジョブを上述の実施形態と同様に実行してもよい。
【０１２４】
ところで、後続ジョブで使用する用紙のサイズおよび紙種のそれぞれが先行ジョブで使用する用紙のサイズおよび紙種と一致することがある。そのため、先行ジョブと同様に後続ジョブも一時停止されることがある。
【０１２５】
このとき、後続ジョブで使用する用紙のサイズおよび紙種に一致する用紙をユーザがカセット１１にセットし直すと、後続ジョブおよび先行ジョブそれぞれの再開が可能になることがある。この場合、後続ジョブの実行が一時停止されている間に、以下のような処理を継続して行えばよい。
【０１２６】
前提として、ユーザは、先行ジョブおよび後続ジョブとして、紙種を普通紙に指定して、Ａ４の原稿の画像をＡ４の普通紙にコピーするジョブを与えたとする。また、用紙情報６Ａ１の「紙種」が更新後紙種であるとする。また、その更新後紙種と指定紙種とが一致しないことが判明した直後の用紙情報記憶部１０１には、図１０（Ｂ）のような用紙情報６Ａが記録されていたとする。また、先行ジョブおよび後続ジョブが一時停止されているとする。
【０１２７】
後続ジョブが一時停止されている間にユーザがいずれかのカセット１１に用紙をセットし直すと、残量センサ１３および用紙サイズセンサ１２は、本実施形態と同様に、そのカセット１１の用紙の残量およびサイズをそれぞれ検出する。
【０１２８】
本例では、ユーザは、カセット１１４に、Ａ４サイズの普通紙をセットし直す。残量センサ１３４は、カセット１１４の用紙の残量を検出する。用紙サイズセンサ１２４は、カセット１１４にセットされた用紙のサイズがＡ４であることを検出する
用紙状態取得部１０２は、本実施形態と同様に、用紙サイズセンサ１２が検出した結果を受け取る。その用紙サイズセンサ１２のカセット１１の用紙情報６Ａの「サイズ」（以下、「更新後サイズ」と記載することがある。）をその結果に基づいて更新する。本例では、用紙情報６Ａ４の「サイズ」を図１０（Ｃ）のように更新する。
【０１２９】
カセット決定部１０３は、更新後サイズと後続ジョブの原稿のサイズとが一致する場合、供給元カセットを、その用紙情報６Ａのカセット１１に決定する。一致しない場合、後続ジョブを一時停止したままにする。または、中止してもよい。本例では、供給元カセットをカセット１１４に決定する。
【０１３０】
ローラ動作部１０４および紙種取得部１０５は、本実施形態と同様に処理を行う。本例において、紙種取得部１０５は、図１０（Ｄ）のように、用紙情報６Ａ４の「紙種」を「普通紙」に更新する。
【０１３１】
指定紙種が取得された場合に用紙情報６Ａが更新されているので、印刷設定部１０６は、上述と同様に、更新後紙種と指定紙種とが一致すれば、更新後紙種に応じた条件で印刷するための設定を、プリントユニット１０ｊに対して行う。その後、プリントユニット１０ｊによって用紙に画像が印刷される。すなわち、後続ジョブの一時停止が解除され、後続ジョブが実行される。
【０１３２】
本例では、更新後紙種（更新後の用紙情報６Ａ４の紙種）と指定紙種とは普通紙で一致するため、印刷設定部１０６は、普通紙に応じた条件で印刷するための設定を、プリントユニット１０ｊに対して行う。そして、プリントユニット１０ｊによって、用紙に画像が印刷される。
【０１３３】
後続ジョブの実行が完了すると、カセット決定部１０３は、供給元カセットの用紙情報６Ａの「サイズ」および「紙種」のそれぞれが、先行ジョブの原稿のサイズおよび指定紙種のそれぞれと一致する場合、供給元カセットをそのまま維持する。一致しない場合、先行ジョブを一時停止したままにする。または、中止してもよい。本例では、供給元カセットをカセット１１４にしたままにする。
【０１３４】
なお、先行ジョブの原稿のサイズおよび指定紙種は、後続ジョブの実行が指示されたときに、補助記憶装置１０ｄなどに一時的に記憶させればよい。そして、後続ジョブの実行が完了したときに呼び出されればよい。
【０１３５】
ローラ動作部１０４は、通常の速度でピックアップローラ１４（ピックアップローラ１４７、１４８）および搬送ローラ１６を、通常の速度で動作させる。紙種取得部１０５は、検紙センサ１７への指令および用紙情報６Ａの更新を行わない。
【０１３６】
印刷設定部１０６は、更新後紙種（用紙情報６Ａ４の「紙種」）に応じた条件（つまり普通紙に応じた条件）で印刷するための設定を、プリントユニット１０ｊに対して行う。その後、プリントユニット１０ｊによって用紙に画像が印刷される。すなわち、先行ジョブの一時停止が解除され、先行ジョブが実行される。
【０１３７】
なお、自動用紙種類検知処理において、印刷している最中に紙切れが発生した場合、残量センサ１３および用紙状態取得部１０２は、上述の紙切れが発生したときと同様の処理を行えばよい。カセット決定部１０３は、上述の紙切れが発生したときの処理に代えて、以下の処理を行えばよい。
【０１３８】
すなわち、紙切れが発生することによって用紙状態取得部１０２が用紙情報６Ａを更新すると、カセット決定部１０３は、現在紙切れとなっているコピーのジョブの実行が指示されたときに原稿サイズセンサ１１ｈが検出した結果（サイズ）に「サイズ」が一致しかつ紙種が「未登録」である他の用紙情報６Ａのうちの、順位情報６Ｂに示される順位が供給元カセットの用紙情報６Ａの次に高い用紙情報６Ａを、新たに特定する。そして、供給元カセットを、その用紙情報６Ａのカセット１１に決定する。
【０１３９】
上述のように、自動用紙種類検知処理において更新後紙種と指定紙種とが一致しなければ、画像形成装置１は、一時停止することなくコピーのジョブを中止し、供給元カセットを決定し直し、または、所定の時間コピーを一時停止した後に、コピーを中止しまたは供給元カセットを決定し直した（以下、それぞれを「第一の対処処理」、「第二の対処処理」、「第三の対処処理」と記載する）。ここで、第一の対処処理、第二の対処処理、および第三の対処処理のいずれを画像形成装置１に行わせるのかを、ユーザに予め決定させてもよい。
【０１４０】
例えば、図１１のような管理者用画面５Ａを介して、第一の対処処理、第二の対処処理、および第三の対処処理のいずれを画像形成装置１に行わせるのかをユーザに決定させる。ユーザがチェックボックス７１Ａをチェックすると、画像形成装置１は、更新後紙種と指定紙種とが一致しなかったときに第一の対処処理を行う。チェックボックス７２Ａをチェックすると、第二の対処処理を行う。チェックボックス７３Ａをチェックすると、第三の対処処理を行う。
【０１４１】
さらに、管理者用画面５Ａを介して、自動用紙種類検知処理の対象となるカセット１１をユーザに決定させてもよい。例えば、図１１のように、カセット０１およびカセット０２の「する」のラジオボタンをユーザが選択すると、画像形成装置１は、自動用紙種類検知処理をカセット０１およびカセット０２に対して行う。
【０１４２】
または、第一の対処処理、第二の対処処理、および第三の処理のいずれを画像形成装置１に行わせるのかを、ジョブごとに（つまりジョブ単位で）、ユーザに決定させてもよい。
【０１４３】
例えば、ＰＣプリント機能などによって端末装置からジョブの実行をユーザが指示するときに、図１２（Ａ）のようなジョブ設定画面５１Ｂが端末装置に表示される。ジョブ設定画面５１Ｂの中の詳細設定ボタン７Ｂをユーザがタッチすると、図１２（Ｂ）のような詳細設定画面５２Ｂが端末装置に表示される。ユーザは、そのジョブに対して、第一の対処処理、第二の対処処理、および第三の処理のいずれを画像形成装置１に行わせるのかを、上述の図１１と同様に、チェックボックス７１Ｂ〜７３Ｂのいずれかをチェックすることで決定する。
【０１４４】
または、第一の対処処理、第二の対処処理、および第三の処理のいずれを画像形成装置１に行わせるのかを、ユーザごとに（つまりユーザ単位で）、画像形成装置１を管理する管理ユーザに決定させてもよい。
【０１４５】
例えば、管理ユーザは、自動用紙種類検知処理を実行することを許可するユーザ名およびアカウント名を、図１３のような管理者用画面５Ｃの欄７４Ｃ、７５Ｃのそれぞれに入力する。管理ユーザは、そのユーザが、第一の対処処理、第二の対処処理、および第三の処理のいずれを画像形成装置１に行わせることができるのかを、上述の図１１と同様に、チェックボックス７１Ｃ〜７３Ｃのいずれかをチェックすることで決定する。そして、画像形成装置１に登録する。画像形成装置１は、画像形成装置１自身にログインしたユーザが登録されていれば、そのユーザが、管理ユーザによって決定された処理を自動用紙種類検知処理として実行する。
【０１４６】
その他、画像形成装置１の全体または各部の構成、処理の内容、処理の順序、データの構成などは、本発明の趣旨に沿って適宜変更することができる。
【符号の説明】
【０１４７】
５Ａ  管理者用画面（画面）
５Ｂ  詳細設定画面（画面）
６Ｂ  順位情報（優先順位）
１０ｅ  タッチパネルディスプレイ（表示手段）
１１  カセット（複数のトレイ、第一のトレイ、第二のトレイ）
１５  搬送路（搬送手段）
１７  検紙センサ（センサ）
１０３  カセット決定部（決定手段）
１１１  カセット（第二のトレイ）
１１２  カセット（第一のトレイ）
【図１】
2019181703.tif 000003
【図２】
2019181703.tif 000004
【図３】
2019181703.tif 000005
【図４】
2019181703.tif 000006
【図５】
2019181703.tif 000007
【図６】
2019181703.tif 000008
【図７】
2019181703.tif 000009
【図８】
2019181703.tif 000010
【図９】
2019181703.tif 000011
【図１０】
2019181703.tif 000012
【図１１】
2019181703.tif 000013
【図１２】
2019181703.tif 000014
【図１３】
2019181703.tif 000015